(57)【特許請求の範囲】
【請求項１】
第一のベルトと、
この第一のベルトの基端部寄りに設けられた第１係止部と、
上記第一のベルトの先端部又は先端部寄りに上記第１係止部と離間して設けられた第２係止部と、
上記第一のベルトと連結する第二のベルトと、
この第二のベルトに設けられ、上記第一のベルトの第２係止部を挿通させる開口を備えた第３係止部と、で構成され、
上記第二のベルトの第３係止部が、該第二のベルトの上記開口に挿通した上記第一のベルトの第２係止部の抜脱を阻止する弁体を備えており、
上記第２係止部を上記第３係止部の開口に挿通後、該第２係止部を、第３係止部の上記弁体と掛止させるか又は上記第１係止部と係合させることにより、ベルトの長短を切り替え得るようにした、ベルト長切替機構。
【請求項２】
前記第３係止部の開口に挿通された前記第２係止部が前記第１係止部と係合しているときの第一のベルトと第二のベルトの連結寸法は、前記第２係止部が前記第３係止部の開口に挿通後に前記第２係止部が弁体と掛止しているときの第一のベルトと第二のベルトの連結寸法より短く設定されることを特徴とする、請求項１記載のベルト長切替機構。
【請求項３】
前記第３係止部の弁体は、前記第２係止部の引抜き時は前記第２係止部に衝接することにより前記第２係止部の抜脱を阻止するように構成したことを特徴とする、請求項１又は２に記載のベルト長切替機構。
【請求項４】
前記第３係止部は、枠部材と、該枠部材により画成される前記開口と、該開口内で枠部材に枢支される前記舌片状の弁体とから成り、回動する該弁体の先端が枠部材の一面に掛止することで回動が停止するよう構成したことを特徴とする、請求項１から３の何れかに記載のベルト長切替機構。
【請求項５】
前記第３係止部は、前記開口を備えた環状部材で成ることを特徴とする、請求項１から４の何れかに記載のベルト長切替機構。
【請求項６】
前記第３係止部は、前記開口を備えたコ字状部材で成ることを特徴とする、請求項１から４の何れかに記載のベルト長切替機構。
【請求項７】
請求項１から６の何れかに記載のベルト長切替機構を備えていることを特徴とする、運搬具。
【請求項８】
前記運搬具が、乳幼児用の抱っこ具又はベビーカーであることを特徴とする、請求項７記載の運搬具。
【請求項９】
請求項１から６の何れかに記載のベルト長切替機構を備えていることを特徴とする、保持具。
【請求項１０】
前記保持具が、乳幼児を収容保持するベビーチェア又はチャイルドシートであることを特徴とする、請求項９記載の保持具。
【発明の詳細な説明】
【０００１】
【発明の属する技術分野】
本発明は、例えば、乳幼児を抱く際に使用する抱っこ具等を装着する際に、バックル等を用いてベルト（帯）の長さの調節を行うベルト長切替機構に関し、特に、簡単な操作でベルトの長さを切り替えて長短の調節が可能なベルト長切替機構と、このベルト長切替機構を備えた運搬具および保持具に関する。
【０００２】
【従来の技術】
母親などが乳幼児をおぶう際に用いるおんぶ紐や子守帯などの抱っこ具が広く使用されている。近年、この抱っこ具として、乳幼児を背中におぶわずに、身体の前面で乳幼児を抱くようにした抱っこ具も広く知られている。
【０００３】
このように、身体の前面で乳幼児を抱く場合に使用する抱っこ具を例にとって図１７を参照してその基本構成を説明すると、この抱っこ具５０は、母親などの着用者の腰まわりに装着される腰ベルト５１と、腰ベルト５１に取り付けられた乳幼児が着座するシートと乳幼児の体を包む本体５３と、着用者の片側の肩にけさ掛けされる肩ベルト５４とで構成される。
【０００４】
この肩ベルト５４には、図１７に示すようにベルトの長さを調節するためのコキ５５が取り付けられている。
この抱っこ具５０の使用に際し、子供を降ろすときには、コキ５５を調節してベルトの長さを長くし、装着者と本体５３との間のスペースを広げることにより開放した空間を作って子供を降ろすようになっている。
【０００５】
【発明が解決しようとする課題】
上記のような抱っこ具５０に使用される肩ベルト５４では、子供を降ろす度にコキを調節してベルトを緩めなければならないが、子供を降ろす際に十分な開口（肩ベルト５４と装着者との間の開口）をつくるのを一回のベルト調節で行うことは必ずしも容易ではない。また、ベルトを緩めた状態の抱っこ具に子供を再び収容する場合も、ベルトの長さを調節して、締め直さなければならないが、子供を抱っこした後でコキを調節してベルト長を短くすることは大変手間のかかる作業となっている。
【０００６】
そこで、本発明は、上記課題を解決するために創作されたものであり、簡易な作業でベルト長を切替可能なベルト長切替機構と、それを備えた運搬具および保持具を提供することを目的とする。
【０００７】
【課題を解決するための手段】
上記課題を解決するために、本発明のベルト長切替機構は、第一のベルトと、この第一のベルトの基端部寄りに設けられた第１係止部と、第一のベルトの先端部又は先端部寄りに第１係止部と離間して設けられた第２係止部と、第一のベルトと連結する第二のベルトと、この第二のベルトに設けられ、第一のベルトの第２係止部を挿通させる開口を備えた第３係止部と、で構成され、第３係止部が、上記開口に挿通した第２係止部の抜脱を阻止する弁体を備えており、第２係止部を第３係止部の開口に挿通後、該第２係止部を、第３係止部の上記弁体と掛止させるか又は第１係止部と係合させることにより、ベルトの長短を切り替え得るようにしたことを特徴としている。
【０００８】
前記構成において、第３係止部の開口に挿通された第２係止部が第１係止部と係合しているときの第一のベルトと第二のベルトの連結寸法は、第２係止部が第３係止部の開口に挿通後に前記第２係止部が弁体と掛止しているときの第一のベルトと第二のベルトの連結寸法より短く設定されるよう構成される。
【０００９】
前記構成において、第３係止部の弁体は、第２係止部の引抜き時は第２係止部に衝接することにより第２係止部の抜脱を阻止するように構成される。
【００１０】
前記構成において、第３係止部は、好ましくは、枠部材と、この枠部材により画成される前記開口と、この開口内で枠部材に枢支される前記舌片状の弁体とから成り、回動する弁体の先端が枠部材の一面に掛止することで弁体の回動が停止するよう構成される。
第３係止部は、好ましくは、前記開口を備えた環状部材で構成されるか、前記開口を備えたコ字状部材で構成される。
【００１１】
上記ベルト長切替機構は、運搬具や保持具に適用することができる。ここで、運搬具とは、乳児及び／又は幼児を運搬するための抱っこ具やベビーカーなどの搬送用具（機器・器具等）を含むほか、大人や老人介護用等に人を運搬するときに使用される物品を広く含む趣旨で使用される。また、保持具は、乳児及び／又は幼児が着座したときに所望の姿勢に保持するベビーチェア，チャイルドシートなどの、主として搬送用具を除く人体等を収容する用具を指しているが、大人を所望の姿勢に保持するために用いる用具類も排除するものではなく、ベルトを使用する物品類でその長さ調節が必要なものであれば、かばん，バッグ，ケース類を問わず全て本発明が適用される。
【００１２】
【発明の実施の形態】
以下、図面に基づいて本発明の実施形態を説明する。
先ず、本発明の実施形態に係るベルト長切替機構を、抱っこ具に用いる場合について説明する。
図１は本発明の実施形態に係るベルト長切替機構を備えた抱っこ具１を示す正面図であり、この抱っこ具１は、図１に示すように、略台形状の乳幼児の身体を支える支持本体１１と、乳幼児の胴周りに巻回されるとともに支持本体１１の表側に装着されることにより乳幼児を手で支えながらの着脱が可能なホールドベルト１２と、装着者の胴体に巻回される第一のベルト１３，１５と、第二のベルト１４，１６とを備えている。
【００１３】
支持本体１１は、上方が幅広に且つ下方に行くにつれてその幅が狭く形成されている。これにより、前向きと対面での抱っこが可能となる。また、支持本体１１は布生地で構成されているため、折り畳み可能になっている。なお、支持本体１１は略台形状に形成される他、楕円形や四角形状などに形成されてもよい。
【００１４】
第一のベルト１３と第二のベルト１４は支持本体１１の上端隅から延設され、また第一のベルト１５と第二のベルト１６は支持本体１１の下端隅から延設されていて、この例では、第一のベルト１３と第二のベルト１４とが保護者の肩を廻して互いに連結され、また、第一のベルト１５と第二のベルト１６とが保護者の腰を廻して互いに連結されるようになっている。
各第一のベルト１３，１５の基端部寄りには第１係止部としての雌バックル１３ｂ，１５ｂが設けられるとともに、第一のベルト１３，１５の先端部又は先端部寄りには上記第１係止部と離間して、第２係止部としての雄バックル１３ｄ，１５ｄが設けられている。なお、第一のベルト１３，１５の第１係止部１３ｂ，１５ｂから先端側の部位を延長部１３ｃ，１５ｃと称す。ここでは、延長部１３ｃ，１５ｃが第一のベルト１３，１５の一部として一体に形成される場合を前提に説明するが、これら延長部１３ｃ，１５ｃは第一のベルト１３，１５とは別体に形成されて第一のベルト或いは第１係止部１３ｂ，１５ｂに取り付けられるように構成されてもよい。
【００１５】
さらに、各第二ベルト１４，１６の先端部側には第３係止部２０が設けられている。この第３係止部２０は、延長部１３ｃ，１５ｃと第２係止部としての雄バックル１３ｄ，１５ｄを挿通させるとともに、雄バックル１３ｄ，１５ｄを掛止するものである。このため、この第３係止部２０は、図２に示すように、開口２１ａを備えた枠部材としての環状部材２１と、この環状部材２１の開口２１ａ内で回動可能に枢着される弁体２２とを備え、この舌片状の弁体２２により開口２１ａに挿通した雄バックル１３ｄ，１５ｄの抜脱を阻止するようにしている。
【００１６】
第３係止部２０を構成する枠部材は略Ｄ状又は角状の環状部材２１として形成され、この環状部材２１により開口２１ａが画成される。環状部材２１は、図３（ａ）に示すように、弁体２２の軸２２ａが枢着される孔２１ｂを備えるとともに、枠部材の前縁の一面が切り欠かれて段部２１ｃが形成されている。
【００１７】
弁体２２は、図２及び図３（ｂ）に示すように、中央部に軸２２ａと、傾斜して前方へ突出した突出片２２ｂと、第二のベルト１４，１６を挿通して固定するスリット２２ｃとを備えて形成されている。
また、この弁体２２は、図５に示すように、凹部（切り欠き）２２ｄが形成されるのが望ましい。このように構成すると、弁体２２を掴む際に凹部２２ｄに指をかけることができ、弁体２２を掴み易くなる。
【００１８】
そして、弁体２２の軸２２ａを環状部材２１の孔２１ｂに嵌着することにより弁体２２は軸２２ａの回りに環状部材２１の開口２１ａ内を回転するが、弁体２２の突出片２２ｂの下面が環状部材２１の段部２１ｃで掛止されて、それ以上下側に回転しないようになっている、すなわち、回動する弁体２２の先端が環状部材２１の一面に掛止することで回動が停止する。
なお、第二のベルト１４，１６には、図４に示すように、長さを調節するコキ３０が取り付けられており、第二のベルト１４，１６がコキ３０に係止されることで、調節した第二のベルト１４，１６の長さは一定に保たれる。
【００１９】
このように構成された抱っこ具１の使用方法について説明する。
図６（ａ）に示すように、第２の係止部としての雄バックル１３ｄを第二のベルト１６の第３係止部２０の開口２１ａに挿通し、その後図６（ｂ）に示すように第３係止部２０に挿通させた延長部１３ｃを、第３係止部２０を基点として第１係止部としての雌バックル１３ｂ側に折り返し、これらを相互に嵌合することにより、すなわち、第１係止部と第２係止部とを係合することにより、第一のベルト１３と第二のベルト１６とを連結する。同様に、第二のベルト１４と第一ベルト１５とを連結する。
【００２０】
これにより、各ベルト１３〜１６同士の連結が完了し、これらのベルトは図７（ａ）及び（ｂ）に示すような肩ベルトとして用いられるようになる。
このとき、雌バックル１３ｂと雄バックル１３ｄとが連結されているときには、延長部１３ｃが第３係止部２０を介して二つ折りにされている、すなわち、第３係止部２０に挿通させた延長部１３ｃが第３係止部２０を基点として、延長部１３ｃの中間部位を第３係止部２０に引っ掛けた状態で雌バックル１３ｂ側に折り返されている。
【００２１】
次に、装着者の腹部と支持本体１１との間に乳幼児を装着者と対向させて収容し、ホールドベルト１２を乳幼児の胴まわりに巻回させる。そして、乳幼児の体型に合わせてホールドベルト１２の長さを調節する。その際、第一のベルト１３と第二のベルト１４を乳幼児の脇下に通すように位置させる。
そして、装着者の体型に合わせて第一のベルト１３と第二のベルト１４の長さを調節する。このようにして、図７に示すように、抱っこ具１内に子供を収容した状態での抱っこ具１の装着が完了する。
【００２２】
次に、子供を抱っこ具１から降ろす場合について説明する。
ここでは、第一のベルト１３と第二のベルト１６とで形成するループを解除する場合を例示する。
図８（ａ）に示すように、雌バックル１３ｂから雄バックル１３ｄを外すことにより、延長部１３ｃが伸びて第１と第２のベルトの連結長さが長くなり、子供を降ろすために十分な空間を形成する（図８（ｂ）参照）。ここで、第３係止部２０から延長部１３ｃが引き抜かれる途中で、雄バックル１３ｄが第３係止部２０の舌状の弁体２２に衝接して係止状態（図６（ｃ）参照）になる。即ち、雄バックル１３ｄは、図９に示すように、弁体２２に衝接して第３係止部２０の開口２１ａ内に入り込むのが阻止される。このように、第３係止部２０の弁体２２は、雄バックル１３ｄの挿通時は干渉しないが、雄バックル１３ｄを第３係止部２０から引抜く時は雄バックル１３ｄに衝接することにより雄バックル１３ｄの抜脱を阻止することができる。このとき、雄バックル１３ｄが第３係止部２０に掛止されることにより、延長部１３ｃが雌バックル１３ｂと第３係止部２０との間に架設されて、雌バックル１３ｂと第３係止部２０との間の距離（連結寸法）が雄バックル１３ｄが雌バックル１３ｂと嵌合されているときの雌バックル１３ｂと第３係止部２０との間の距離（連結寸法）に比べて長くなっている。
【００２３】
このようにして第１のベルトと第２のベルトとを連結したままで、合計の長さを長くすることができるため、子供をおろす作業が楽になり、広がった空間から乳幼児を降ろすことができる。或いは、子供を支えながら第３係止部２０の弁体２２を開け、延長部１３ｃと雄バックル１３ｄを第３係止部２０から抜いて（図８（ｃ）参照）、子供を抱っこ具１から降ろすようにしてもよい。
【００２４】
再び乳幼児を抱っこ具１に収容する場合には、ベルト（ループ）の長さが既に調節されているので、雄バックル１３ｄを第３係止部２０の開口に通して雌バックル１３ｂに嵌合させるだけで装着することができる。なお、乳幼児を抱きかかえる際に、ベルトの長さをバックルのベルト通し部で微調整するようにしてもよい。
【００２５】
このように構成された、本発明のベルト長切替機構を備えた抱っこ具１によれば、抱っこ具１を装着した状態における第一のベルト１３と第二のベルト１６とが連結して形成される長さをコキ３０で一度調節しておけば、その後の使用において、長さ調節を行わずにバックル１３ｂ，１３ｄ同士を締結すれば、具体的には、雄バックル１３ｄを第３係止部２０の開口２１ａに挿通後、雄バックル１３ｄを、第３係止部２０の弁体２２と掛止させるか又は延長部で折り返して雌バックル１３ｂと係合させるようにすれば、ワンタッチで第一のベルト１３と第二のベルト１６との連結長さを切り替えることができる。
【００２６】
例えば、第一のベルト１３と第二のベルト１６とを連結して肩ベルトとして使用している際に、雄バックル１３ｄ，１５ｄが雌バックル１３ｂ，１５ｂから不意に外れたとしても、第３係止部２０に雄バックル１３ｄ，１５ｄが掛止されることで、単に連結長さが伸びるだけであり、第一，第二のベルトの連結が解除される訳ではないので、安全性が損なわれない。
【００２７】
上記説明では、各ベルト１３〜１６が連結して構成される二つのループがそれぞれ肩に掛けられるタイプの抱っこ具１に基づいて説明したが、本発明のベルト長切替機構は、図８に示す片掛け式の抱っこ具に適用してもよい。この場合、第一のベルト１５と第二のベルト１６とが連結して形成されたループは腰ベルトとして用いられる。
【００２８】
次に、本発明のベルト長切替機構を適用し得る他の物品例を示すと、例えば、図１１に示すような乳幼児が食事する時等に使用するベビーチェア２に適用することができる。このベビーチェア２には、乳幼児が着座した状態から滑り落ちるのを防止するため、テーブルと座面との間にサポートベルト３１が懸架されており、このサポートベルト３１に本発明を適用することができる。
【００２９】
この場合、サポートベルト３１は、第一と第二の二つのベルトに分断され、それらの一方に第３係止部２０が取り付けられ、他方に雌バックル１３ｂ（第１係止部）とそれから延設された延長部１３ｃとその先端に設けられた雄バックル１３ｄ（第３係止部）とが取り付けられる。
【００３０】
このようにベルト長切替機構を適用したベビーチェア２によれば、座面に着座した子供を降ろす際に、雄バックル１３ｄを雌バックル１３ｂから外せば、ワンタッチでサポートベルト３１が緩められ、子供を容易に降ろすことができる。
【００３１】
また、子供が着座している状態で寝てしまっても、雌バックル１３ｂから外した雄バックル１３ｄを第３係止部２０から引き抜くことで、サポートベルト３１が分割されるため、子供を静かにベビーチェア２から降ろすことができる。
【００３２】
なお、本発明のベルト長切替機構は、図１２に示すようなカバー４０で覆って使用すると、使用者の当接部位が保護されクッション効果で柔らかく保持することができる。ここで、図１２（ａ）は、カバー４０の展開状態を、図１２（ｂ）は、カバー４０がベルト長切替機構を包むように折り畳まれた使用状態を示す図である。
【００３３】
本発明のベルト長切替機構は、図１３（ａ）に示すようにベビーカー３にも適用できる。ベビーカー３のシート３２の背面には、図１３（ｂ）に示すように、シート３２の傾斜を調節するためのリクライニング部材３３（ベルトとバックルとを備えたもの）が設けられている。このリクライニング部材３３に本発明を適用することもできる。
【００３４】
ここで、従来のリクライニング部材３３は、図１４（ａ）に示すように、一方のベルト３３ａに取り付けられたリクライニングバックル３３ｂとそれに挿通する他方のベルト３３ｃとで構成され、リクライニング部材３３は、リクライニングバックル３３ｂでベルト３３ｃの長さを調節することで、シート３２の傾斜を変化させるようになっている。
【００３５】
このリクライニングバックル３３ｂの代わりに本発明を適用するには、図１４（ｂ）に示すように一度長さを設定しておく。これにより、その後の使用において、雄バックル１３ｄを雌バックル１３ｂから外しても、微調節を行わずに、雄バックル１３ｄが第３係止部２０に掛止されることで、図１４（ｃ）に示すようにワンタッチでシート３２をリクライニングの状態に切り替えることができる。また、図１４（ｃ）に示す状態から図１４（ｂ）に示す元の状態に戻す作業もワンタッチで行える。
【００３６】
また、本発明のベルト長切替機構は、車両に搭載されるチャイルドシートの肩ベルトなどにも適用できる。
図１５（ａ）は、従来のチャイルドシート４を示すが、この図に示すように、肩ベルト３４には、その長さ途中にタング３４ａが設けられており、これがバックル３５と接続されるようになっている。
本発明のベルト長切替機構をチャイルドシート４に適用すると、図１５（ｂ）に示すように、肩ベルト３４に雌バックル１３ｂとそれから延設された延長部１３ｃとその先端に設けられた雄バックル１３ｄとが取り付けられる。さらに、バックル３５には、延長部３５ａを介して第３係止部２０が取り付けられる。
このようなチャイルドシート４によれば、雄バックル１３ｄを雌バックル１３ｂから外すだけで、ベルト長を切り替えることができるので、子供の乗り降りがスムーズに行える。
【００３７】
本発明は、発明の趣旨を逸脱しない範囲において様々な形態で実施できる。
例えば、抱っこ具３の説明において、第３係止部２０の枠部材として環状部材２１を備える場合を説明したが、これに代えて、図１６に示す略コ字状などのコ字状部材２３を用いてもよい。
【００３８】
また、以上の説明では、第１係止部としての雌バックル１３ｂから延長部１３ｃ（延長部）を延設し、さらにこの延長部１３ｃの先端に第２係止部としての雄バックル１３ｄを設けた場合を説明したが、雄バックル１３ｄと雌バックル１３ｂとの配置を入れ替えて、第１係止部として雄バックル１３ｄを用い、第２係止部として雌バックル１３ｂを用いても良い。
【００３９】
また、上記説明では、第２係止部としての雄バックル１３ｄと第１係止部としての雌バックル１３ｂとで嵌合する場合を示したが、ファスナー，面ファスナー或いはスナップ機構などで係着しても良い。
また、本発明のベルト長切替機構は、乳幼児用の抱っこ具１，１ａ、ベビーチェア２、ベビーカー３、チャイルドシート４に適用し得るほか、その他の乳幼児用機器・器具等にも適用でき、また、大人及び老人介護等の福祉用の機器・器具などにも適用しえ、用途又は使用者の対象を限定する意図はない。
【００４０】
【発明の効果】
以上詳述したように、本発明のベルト長切替機構によれば、第２係止部を第３係止部の開口に挿通後、第２係止部を、第３係止部の弁体と掛止させるか又は第１係止部と係合させることにより、ベルトの長短、即ち第１係止部と第３係止部との間距離をワンタッチで切り替えることができる。
【図面の簡単な説明】
【図１】本発明の実施形態に係るベルト長切替機構を備えた抱っこ具を示す正面図である。
【図２】本発明の実施形態に係る係止部材の分解図である。
【図３】（ａ）は図２のＢ−Ｂ拡大断面図であり、（ｂ）は図２のＣ−Ｃ拡大断面図である。
【図４】本発明の実施形態に係る抱っこ具の延長部と第二のベルトとを連結させる機構を示す斜視図である。
【図５】本発明の実施形態に係る弁体を示す図である。
【図６】（ａ）〜（ｃ）はそれぞれ本発明の実施形態に係るベルトの連結構成を示す説明図である。
【図７】（ａ）及び（ｂ）はそれぞれ本発明の実施形態に係る抱っこ具を装着した状態を示す説明図である。
【図８】（ａ）〜（ｃ）はそれぞれ本発明の実施形態に係る抱っこ具から乳幼児を降ろす手順を説明するための図である。
【図９】本発明の実施形態に係る係止部材の断面図である。
【図１０】本発明の実施形態に係るベルト長切替機構を備えた他の抱っこ具を示す正面図である。
【図１１】本発明のベルト長切替機構を適用したベビーチェアを示す図である。
【図１２】（ａ）は本発明のベルト長切替機構を覆うカバーの展開図であり、（ｂ）はその装着状態を示す図である。
【図１３】（ａ）及び（ｂ）はそれぞれ従来のベビーカーとその部材（リクライニング部材）を示す図である。
【図１４】（ａ）は従来のリクライニング部位を示す図であり、（ｂ）及び（ｃ）はそれぞれリクライニング部材に本発明のベルト長切替機構を適用した例を示す図である。
【図１５】（ａ）は従来のチャイルドシートを示す図であり、（ｂ）はその肩ベルトに本発明のベルト長切替機構を適用した例を示す図である。
【図１６】本発明の実施形態に係るコ字状部材を示す斜視図である。
【図１７】従来の抱っこ具を示す斜視図である。
【符号の説明】
１，１ａ    抱っこ具
２      ベビーチェア
３      ベビーカー
４      チャイルドシート
１１    支持本体
１２    ホールドベルト
１３〜１６    ベルト
１３ｂ，１５ｂ    雌バックル
１３ｄ，１５ｄ    雄バックル
１３ｃ，１５ｃ    延長部
２０    第３係止部
２１    環状部材
２１ａ  開口
２１ｂ  孔
２２    弁体
２２ａ  軸
２２ｂ  突出片
２２ｃ  スリット
【図１】
0003890520.tif 000002
【図２】
0003890520.tif 000003
【図３】
0003890520.tif 000004
【図４】
0003890520.tif 000005
【図５】
0003890520.tif 000006
【図６】
0003890520.tif 000007
【図７】
0003890520.tif 000008
【図８】
0003890520.tif 000009
【図９】
0003890520.tif 000010
【図１０】
0003890520.tif 000011
【図１１】
0003890520.tif 000012
【図１２】
0003890520.tif 000013
【図１３】
0003890520.tif 000014
【図１４】
0003890520.tif 000015
【図１５】
0003890520.tif 000016
【図１６】
0003890520.tif 000017
【図１７】
0003890520.tif 000018